(57)【特許請求の範囲】
【請求項１】
記録媒体から画像データを再生する再生手段と、
前記再生手段により再生された複数画面の画像データを記憶する記憶手段と、
それぞれ通常再生速度よりも高速に前記画像データを再生する第１のサーチ再生モードと第２のサーチ再生モードとを、前記画像データに係る画像の動きに応じて切り替えるモード切り替え手段と、
前記記憶手段に記憶された画像データを出力する出力手段と、
前記第１のサーチ再生モードにおいて前記記憶手段に記憶された複数画面の画像データをそれぞれ複数の領域に分割し、前記分割された複数画面の画像データの互いに異なる領域を用いて前記出力手段により出力するべき１画面の画像データを生成するとともに、前記第２のサーチ再生モードにおいて前記記憶手段に記憶された複数画面の画像データのうち１画面の画像データのみを用いて前記出力手段により出力するべき１画面の画像データを生成する生成手段とを備える再生装置。
【請求項２】
前記第１のサーチ再生モードにおいて、前記生成手段は、連続する複数画面の前記画像データをそれぞれ前記第１のサーチ再生モードにおける再生速度に応じた数の領域に分割し、前記分割された複数画面の画像データの互いに異なる領域を１つづつ用いて前記１画面の画像データを生成することを特徴とする請求項１記載の再生装置。
【請求項３】
前記第１のサーチ再生モードにおける画像データの再生速度は通常再生速度のｎ倍であり、前記第１のサーチ再生モードにおいて、前記生成手段は前記記憶手段に記憶されたｎ画面（ｎは２以上の整数）の画像データをそれぞれｎ個の領域に分割し、前記分割されたｎ画面の画像データの互いに異なる領域を用いて前記１画面の画像データを生成することを特徴とする請求項１記載の再生装置。
【請求項４】
前記生成手段は、前記第１のサーチ再生モードにおいて、前記再生画像データのｎ画面毎に前記１画面の画像データを生成することを特徴とする請求項３記載の再生装置。
【請求項５】
前記生成手段は前記記憶手段から前記画像データを読み出す読み出し手段と、前記読み出された画像データを記憶するメモリと、前記メモリに対する前記画像データの書き込み及び読み出し動作を制御するメモリ制御手段とを有し、前記記憶手段から前記メモリに対して出力すべき画像データを選択するとともに前記メモリにおける記憶アドレスを制御することを特徴とする請求項１記載の再生装置。
【請求項６】
前記画像データは画面内符号化と画面間符号化とを用いて符号化されており、前記再生手段は前記再生画像データを復号する復号手段を有し、前記生成手段は前記第２のモードにおいては前記画面内符号化により符号化された画像データの復号画像データのみを用いて前記１画面の画像データを生成することを特徴とする請求項１記載の再生装置。
【請求項７】
前記モード切り替え手段は、前記画像の動きを判別し、動きありと判別した場合に前記第１のサーチ再生モードに切り替え、動きなしと判別した場合に前記第２のサーチ再生モードに切り替えることを特徴とする請求項１から６の何れか１項記載の再生装置。
【請求項８】
記録媒体から符号化された画像データを再生する再生手段と、
前記再生手段により再生された画像データを復号する復号手段と、
それぞれ通常再生速度よりも高速に前記画像データを再生する第１のサーチ再生モードと第２のサーチ再生モードとを、前記画像データに係る画像の動きに応じて切り替えるモード切り替え手段と、
前記復号手段により復号された画像データを出力する出力手段と、
前記第１のサーチ再生モードにおいて前記復号手段により復号された複数画面の画像データをそれぞれ複数の領域に分割し、前記分割された複数画面の画像データの互いに異なる領域を用いて前記出力手段により出力するべき１画面の画像データを生成するとともに、前記第２のサーチ再生モードにおいて前記復号手段により復号された複数画面の画像データのうち１画面の画像データのみを用いて前記出力手段により出力するべき１画面の画像データを生成する生成手段とを備える再生装置。
【請求項９】
記録媒体から画像データを再生する方法であって、
前記記録媒体から再生された複数画面の画像データを記憶する記憶ステップと、
それぞれ通常再生速度よりも高速に前記画像データを再生する第１のサーチ再生モードと第２のサーチ再生モードとを、前記画像データに係る画像の動きに応じて切り替えるモード切り替えステップと、
前記記憶手段に記憶された画像データを出力する出力ステップと、
前記第１のサーチ再生モードにおいて前記記憶手段に記憶された複数画面の画像データをそれぞれ複数の領域に分割し、前記分割された複数画面の画像データの互いに異なる領域を用いて前記出力ステップにより出力するべき１画面の画像データを生成するとともに、前記第２のサーチ再生モードにおいて前記記憶手段に記憶された複数画面の画像データのうち１画面の画像データのみを用いて前記出力ステップにより出力するべき１画面の画像データを生成する生成ステップとを備える再生方法。
【発明の詳細な説明】
【０００１】
【発明の属する技術分野】
本発明は再生装置及び再生方法に関し、特には、画像データの特殊再生時の処理に関する。
【０００２】
【従来の技術】
この種の装置として、動画像データをデジタルデータとしてテープ、ディスク等の記録媒体に記録する装置が知られている。
【０００３】
特に、近年、ディスク媒体については、大容量化が急速に進展し、音声のみならず映像信号をもディスク媒体に長時間記録再生する装置が提案されている。例えば、ＭＰＥＧ等の高能率符号化処理に基づいた記録フォーマットを採用し、４Ｍｂｐｓ〜１０Ｍｂｐｓ程度のデータレートで１時間以上の画像記録再生装置を実現し得る技術が検討されている。さらには、ディスク媒体そのものに関しても、小型化と大容量化が確実に進展する動向を示しており、画像記録再生装置のさらなる高密度化が推し進められている。
【０００４】
このようにディスク媒体に対して記録再生を行う装置においても、従来のＶＴＲと同様、記録媒体に何が記録されているかを予め確認するためにサーチ（特殊再生）を行うことが考えられる。ディスク媒体に記録された動画像データのサーチ時には、設定された再生速度（例えばユーザが再生速度を設定する）に応じて記録媒体のトラックの送り量を決めて再生を行い、ユーザはＴＶモニタ、液晶モニタ等で再生画像を確認する。サーチ再生時の再生速度は、このトラック送り量により決定される。
【０００５】
【発明が解決しようとする課題】
しかし、このような従来考えられているサーチ再生機能は、再生倍率に応じた時間間隔でフレーム単位に表示画像を更新するものであり、シーンの切り替え時や動きの大きなシーンでは、サーチ再生画像の動きが間欠的で、滑らかさにかけてしまう。
【０００６】
そのため、ユーザはサーチ再生により内容を確認する際、フレーム単位でめまぐるしく変化する表示画像を注意深く確認しつづける必要があり、しかも、滑らかな動きのない、連続性を失った断片的な再生画像しか得ることができないという問題があった。
【０００７】
本発明は前述の如き問題点を解決することを目的とする。
【０００８】
本願の他の目的は、特殊再生時においても滑らかな動きを持つ再生画像を得る処にある。
【０００９】
【課題を解決するための手段】
前記目的を達成するため、本発明にあっては、記録媒体から画像データを再生する再生手段と、前記再生手段により再生された複数画面の画像データを記憶する記憶手段と、それぞれ通常再生速度よりも高速に前記画像データを再生する第１のサーチ再生モードと第２のサーチ再生モードとを、前記画像データに係る画像の動きに応じて切り替えるモード切り替え手段と、前記記憶手段に記憶された画像データを出力する出力手段と、前記第１のサーチ再生モードにおいて前記記憶手段に記憶された複数画面の画像データをそれぞれ複数の領域に分割し、前記分割された複数画面の画像データの互いに異なる領域を用いて前記出力手段により出力するべき１画面の画像データを生成するとともに、前記第２のサーチ再生モードにおいて前記記憶手段に記憶された複数画面の画像データのうち１画面の画像データのみを用いて前記出力手段により出力するべき１画面の画像データを生成する生成手段とを備える構成とした。
【００１０】
【発明の実施の形態】
以下、本発明の実施の形態を図面と共に説明する。
【００１１】
図１は本発明が適用される記録再生装置の記録系１００の構成を示すブロック図であり、図２は再生系２００の構成を示すブロック図である。
【００１２】
まず、図１の装置による記録動作について説明する。
【００１３】
図１において、撮像部１０１により得られた画像データはカメラ信号処理回路１０２によりデジタル信号に変換され、更に、ゲイン調整、色分離、階調補正、ホワイトバランス調整等の信号処理が施される。
【００１４】
このようにして得られた画像信号は、一旦メモリ１０３に蓄えられる。本実施の形態では、画像データの各フレームをその符号化モードに応じてＩピクチャ、Ｐピクチャ、Ｂピクチャの３つの種類に分け、これらの各ピクチャを、先頭にＩピクチャ、３フレームおきにＰピクチャ、Ｐピクチャの間にＢピクチャを２フレーム配置して、計１５フレームからなるＧＯＰ(Group Of Pictures)を形成する。そして、メモリ１０３から各ピクチャのデータの出力順を制御することにより、並べ替えを行う。ここで、ＧＯＰはＭＰＥＧ方式の符号化における符号化の基本的な単位である。
【００１５】
この並べ替えの様子を図３で説明する。
【００１６】
本形態では、例えばフレーム間符号化を行う際、イントラフレームのＩフレームの後、３フレームおきにＰフレーム、その間はＢフレームが２つという構成で符号化を行う。
【００１７】
図３の３０１で示したように、メモリ１０３への入力画像が、Bzn-1,Bzn,Ia0,Ba0,Ba1,Ba2,Pa0,Ba2,Ba3,Pa1…であり、入力順にそれぞれがB,B,I,B,B,P,B,B,P…フレームに符号化されるとすると、図３の３０２で示したように、メモリ１０３は、Ia0,Bzn-1,Bzn,Pa0,Ba0,Ba1,Pa1,Ba2,Ba3 …の順に画像データを出力する。
【００１８】
メモリ１０３から出力された画像データは、スイッチ１０６の一方の端子ａ、減算器１０７及び動き補償予測回路１２０に出力される。
【００１９】
図３の如く入力される画像データを処理する場合は、まず、メモリ１０３からフレームIa0の画像データをｋ×ｌ（例えば８×８）画素のブロック単位に読み出し、スイッチ１０３の端子ａと減算器１０２供給する。
【００２０】
スイッチ１０６はメモリ１０３から出力される画像データがＩフレームの時は端子ａを選択し、画像データがＰ，Ｂフレームの時は端子ｂを選択する。従って、この場合にはスイッチ１０６は端子ａを選択し、ブロック化されたフレームIa0の画像データをＤＣＴ回路１０４に供給する。
【００２１】
ＤＣＴ回路１０４は、スイッチ１０６から供給される画像データを８画素×８画素のブロック単位にＤＣＴ処理して周波数領域のデータに変換し、量子化回路１０５に供給する。
【００２２】
量子化回路１０５では、ＤＣＴ回路１０４により周波数領域のデータに変換された画像データを量子化して可変長符号化回路１０８、逆量子化回路１１５にそれぞれ供給する。可変長符号化回路１０８は、量子化回路１０５から供給される量子化データをランレングス符号化等により可変長符号化し、多重化回路１０９に送る。
【００２３】
一方、逆量子化回路１１５では、量子化回路１０５から供給されるデータを逆量子化して逆ＤＣＴ回路１１６に供給する。逆ＤＣＴ回路１１６では、逆量子化回路１１５から供給された画像データを逆ＤＣＴ処理し、周波数領域のデータから２次元空間領域のデータに変換して加算回路１１７に供給する。
【００２４】
加算回路１１７は、逆ＤＣＴ回路１１６からの逆ＤＣＴされたデータにスイッチ１１９からのデータを加算するのであるが、ここでスイッチ１１９は、Ｉフレームの画像データが逆ＤＣＴ回路１１６から出力される時には端子ｂを選択して加算回路１１７に０データを供給する。そのため、符号化される前とほぼ同じ値のデータが復号データとして出力されてメモリ１１８に供給され、メモリ１１８は所定のアドレスに供給された復号データを記憶する。
【００２５】
フレームIa0の符号化が終わると次にメモリ１０３はフレームBzn-1，Bznの順に画像データを読み出して処理するが、これはフレームBa0，Ba1の処理と同じなので、後述するフレームBa0，Ba1の処理で詳述する。
【００２６】
次に、メモリ１０３はフレームPa0の画像データをｋ×ｌ画素のブロック単位に読み出し、減算器１０７、動き補償予測回路１２０に供給する。動き補償予測回路１２０は、メモリ１０３から供給されたｋ×ｌ画素のブロックデータに対して、メモリ１１８に記憶されている復号されたフレームIa0の画像データを探索して最も予測誤差（差分）の小さくなるデータ（ブロック）の動きベクトルを求める。そして、メモリ１１８からその動きベクトルの指し示す復号データを予測データとして読み出し、減算器１０７とスイッチ１１９に供給すると共に、求めた動きベクトルを動き検出回路１２１に出力する。
【００２７】
減算器１０７は、メモリ１０３から供給されたフレームPa0の画像データと動き補償予測回路１２０がメモリ１１８から読み出して減算器１０７に供給した予測データとを減算し、スイッチ１０６の他方の端子ｂに供給する。スイッチ１０６はメモリ１０３から供給される画像データがＰまたはＢフレームのとき端子ｂを選択して、減算器１０７からの出力をＤＣＴ回路１０４に供給する。ＤＣＴ回路１０４は、スイッチ１０６からのデータをＤＣＴして空間領域から周波数領域のデータに変換し、量子化回路１０５に出力する。量子化回路１０５は、ＤＣＴ回路１０４から供給されたＤＣＴ変換されたデータを量子化し、可変長符号化回路１０８と逆量子化回路１１５に供給する。
【００２８】
可変長符号化回路１０８は、量子化回路１０５から供給される量子化されたデータを可変長符号化し、多重化回路１０９に送る。逆量子化回路１１５は、量子化回路１０５から供給される量子化されたデータを逆量子化し、逆ＤＣＴ回路１１６に供給する。逆ＤＣＴ回路１１６では、逆量子化回路１１５から供給された逆量子化されたデータを逆ＤＣＴし、周波数軸上のデータから２次元空間領域のデータに変換して加算回路１１７に供給する。
【００２９】
加算回路１１７は、逆ＤＣＴ回路１１６からの逆ＤＣＴされたデータにスイッチ１１９からのデータを加算する。ここでスイッチ１１９は端子ａを選択しており、前述の如く動き補償予測回路１２０がメモリ１１８から読み出したフレームＩa0からの予測データを加算回路１１７に出力しているので、加算回路１１７は、逆ＤＣＴ回路１１６からの逆ＤＣＴされたデータにこの予測データを加算し、復号データとしてメモリ１１８に供給する。メモリ１１８は、加算回路１１７から供給された復号データを所定のアドレスに記憶する。
【００３０】
動き検出回路１２１は、フレームＰa0の画像データの符号化が終わると、動き補償予測回路１２０から供給された１フレームの動きベクトルの絶対値の総和を求め、更にこれを所定の閾値にて二値化した1ビットのフレームの動きの情報としてＣＰＵ１２２に供給する。
【００３１】
操作スイッチ１２３は、撮影シーンの始め又は終わりの制御タイミングをＣＰＵ１２２に送り、装置のモード遷移を行う。また、ＣＰＵ１２２は、動き検出回路１２１からの動き情報を多重化回路１０９に伝送する。
【００３２】
多重化回路１０９は、可変長符号化回路１０８から供給される可変長符号データに、動き補償予測回路１２０からの動きベクトルとＣＰＵ１２２から供給されるヘッダ情報や動き情報、シーン変化等の付加情報とを多重する。
【００３３】
動き情報は、例えば各フレームの符号化データの先頭のヘッダに付加情報として多重される。
【００３４】
フレームPa0の符号化が終わると、次にメモリ１０３はフレームBa0を読み出し、フレームPa0の処理と同様の処理を行う。ただし、ここで動き補償予測回路１２０は、メモリ１１８に記憶されている復号データ、フレームIa0，Pa0の両方から予測を行うことができる。フレームＢa0が符号化し終わると、動き検出回路１２１は、動き補償予測回路１２１から供給された動きベクトルの絶対値の総和を求め、フレームの動き情報として多重化回路ＣＰＵ１２２に供給する。多重化回路１０９は、フレームBa0の可変長符号データ列に、動き補償予測回路１２０からの動きベクトルとＣＰＵ１２２からの動きの情報とを多重する。
【００３５】
フレームBa0と同様にフレームBa1が処理され、次にフレームPa1が処理されるが、フレームPa1の処理では動き補償予測回路１２０は、フレームPa0の復号データから予測を行い、動きベクトルを求め、動き検出回路１２０と多重化回路１０９に供給する。動き検出回路１２１は、フレームPa1の画像データの符号化が終わると、動き補償予測回路１２０から供給された動きベクトルの絶対値の総和を求め、フレームの動きの情報としてＣＰＵ１２２に供給する。多重化回路１０９は、フレームＰa0の可変長符号データ列に、動き補償予測回路１２０からの動きベクトルとＣＰＵ１２２からの動きの情報とを多重する。
【００３６】
多重化回路１０９は、このように動きベクトル、動き情報と符号化画像データが多重化された多重化データを誤り訂正回路１１０に供給する。誤り訂正回路１１０は、多重化回路１０９からの出力データに対して光磁気ディスク１１３に適した誤り訂正符号化を行い、バッファ１１１に出力する。バッファ１１１は記録データの情報量に応じて記録データをバッファし、記録回路１１２に出力する。記録回路１１２は周知の光ビーム照射部、磁気ヘッド、ディスク１１３を駆動する駆動部等の構成を有し、バッファ１１１から出力されたデータを光磁気ディスク１１３上に記録する。
【００３７】
この後、フレームBa2，Ba3の順に逐次処理され、ディスク１１３に記録される。
【００３８】
次に、図２を用いて再生系２００について説明する。
【００３９】
まず、通常再生時の動作について説明する。
【００４０】
図２において、再生回路２０１は図１の記録回路１１２にて用いた光ビーム照射部、駆動部等を有し、光磁気ディスク１１３に記録されたデータを再生し、バッファ２０２に出力する。バッファ２０２は光磁気ディスク１１３からの再生データのデータレートに応じて再生データをバッファし、誤り訂正回路２０３に出力する。
【００４１】
誤り訂正回路２０３は記録時の誤り訂正符号化に応じて再生データ中のエラーを訂正し、訂正処理された再生データを復号回路２０４及びＣＰＵ１２２に出力する。復号回路２０４は再生された画像データを符号し、メモリ２０５に出力する。
【００４２】
図４は復号回路２０４の構成を示す図である。
【００４３】
図４において、誤り訂正回路２０３からの再生データは逆量子化回路４０１及び動き補償回路４０４に出力される。逆量子化回路４０１は再生画像データを逆量子化し、逆ＤＣＴ回路４０２に出力する。逆ＤＣＴ回路４０２は逆量子化回路４０１からのデータを逆ＤＣＴ処理し、加算器４０３に出力する。
【００４４】
加算器４０３はスイッチ４０５からの出力データと逆ＤＣＴ回路４０２からの出力データとを加算し、メモリ２０５及び動き補償回路４０４に出力する。スイッチ４０５は再生データがＩピクチャの場合にはｂ端子に接続してゼロデータを選択し、ＰまたはＢピクチャの場合にはａ端子に接続して動き補償回路４０４から出力されるデータを選択する。
【００４５】
動き補償回路４０４は、誤り訂正回路２０３からの再生データに基づいて再生画像データのピクチャタイプを検出し、再生データがＩピクチャもしくはＰピクチャの場合に加算器４０３からの出力データを内部メモリに記憶する。そして、再生データ中の各ブロックの動きベクトルに基づいて、この内部メモリに記憶された画像データを読み出し、スイッチ４０５に出力する。
【００４６】
このように復号回路２０４により復号された画像データはメモリ２０５に記憶される。そして、メモリ２０５から出力する際にその順序を並び替える。
【００４７】
すなわち、ＣＰＵ１２２は、通常再生時においては、図３の３０２で示した順に復号され、メモリ２０５に記憶された再生データを３０１で示した順に並び替えて出力する。このように、メモリ２０５を用いて再生画像データの順序を並び替えるため、メモリ２０５は数フレーム（本形態では１０フレーム）分の復号された画像データを記憶可能である。
【００４８】
メモリ２０５から読み出された画像データはバッファ２０７に出力される。バッファ制御回路２０９はＣＰＵ１２２からの指示に応じて適当なタイミングでバッファ２０７に記憶された画像データを読み出し、出力回路２０８に出力する。出力回路２０８はバッファ２０７からの画像データに対して出力する外部機器に応じた処理を施して出力する。
【００４９】
次に、図２の装置によるサーチ再生時の動作について説明する。
【００５０】
本形態の記録再生装置は、記録系装置１００にて符号化される画像データのデータレートの数倍の速度のレートでディスク１１３に対するデータの記録再生が可能である。そのため、本形態では、記録時においては間欠的にデータを記録し、通常再生モードにおいては間欠的にディスク１１３からデータを読み出している。また、サーチ再生時においては、光磁気ディスク１１３から連続してデータを読み出すことで、通常再生モード時の数倍のレートでデータを再生する。
【００５１】
すなわち、図２において、操作スイッチ１２３からサーチ再生モードの指示があると、ＣＰＵ１２２は再生回路２０１を制御し、通常再生モード時の数倍、ここでは５倍の速度でデータを再生し、バッファ２０２を介して誤り訂正回路２０３に出力する。再生系装置２００は、通常再生モード時の５倍の速度で再生データの処理が可能であり、復号回路２０４はこのように通常再生モード時の５倍の速度で再生されたデータを全て復号してメモリ２０５に出力する。
【００５２】
ここで、本形態における５倍速サーチ再生時の出力データの処理の考え方について図５を用いて説明する。
【００５３】
５倍速サーチ再生においては、１フレームに相当する期間に５フレーム分の画像データを出力すればよい。そこで、本形態では、サーチ再生時においては、通常再生時の５倍の速度で記録されているデータを全て再生して復号する。そして、図５のように、再生された１ＧＯＰの画像データ１５フレームのうち、連続する５フレームの画像５０１，５０２，５０３を用いて３フレームの画像データ５０４，５０５，５０６を生成する。
【００５４】
このとき、各フレームの画像データをそれぞれ画面上で５つの領域に分割し、各フレームの５つの領域からそれぞれ異なる領域を抽出して１フレームの画像データを生成するものである。
【００５５】
図６に連続する５フレームの画像データから１フレームの画像データを生成する様子を示す。
【００５６】
図６において、６０１で示した連続する５フレームＣ１，Ｃ２，Ｃ３，Ｃ４，Ｃ５の画像データをそれぞれ図６に示すように５つの領域６０１ａ，６０１ｂ，６０１ｃ，６０１ｄ，６０１ｅに分割する。そして、６０２に示すように、各フレームから１つの領域を抽出し、これら５つのフレームから抽出した各領域の画像データを合成して６０３の如く１フレームの画像を生成するものである。
【００５７】
すなわち、フレームＣ１からは最上部の９６ライン分の領域Ｃ１ａ、フレームＣ２からは９７ライン〜１９２ラインまでの領域Ｃ２ｂ、フレームＣ３からは１９３ライン〜２８８ラインまでの領域Ｃ３ｃ、フレームＣ４からは２８９ライン〜３８４ラインまでの領域Ｃ４ｄ、フレーム５からは３８５ライン〜４８０ラインまでの領域Ｃ５ｅを抽出し、これを６０３のように上から順に配置する。
【００５８】
このように連続する複数フレームの画像データを複数の領域に分割し、各フレームの一部の領域を合成してサーチ用画像データの１フレームを構成することで、サーチ再生時に出力される各フレームの画像は滑らかに変化する。
【００５９】
具体的に図２においては、ＣＰＵ１２２はメモリ２０５に記憶された複数フレームの再生画像データのうち、図５、図６の如く連続する５フレームの画像データをそれぞれ５つの領域に分割した中で１つの領域の画像データを読み出し、バッファ２０７に出力する。そして、ＣＰＵ１２２はバッファ制御回路２０９を制御して、図６の６０３の如く１フレームの画像データを形成するようバッファ２０７におけるメモリ２０５から読み出した各領域の画像データの記憶アドレスを決定する。バッファ制御回路２０９はこのように形成されたサーチ用画像データを１／３０秒毎に１フレームづつ読み出し、出力回路２０８に供給する。
【００６０】
このように本形態によれば、５倍速サーチ再生時において通常再生時の５倍の速度で記録されているデータを再生し、このように５倍の速度で再生された画像データのうちの連続する５フレームをそれぞれ複数の領域に分割したうちの一部を集めて１フレームのサーチ用画像データを生成することで、サーチ再生時においても動きな滑らかに変化する画像を得ることができる。
【００６１】
そのため、従来のようにフレーム単位で表示画面を更新する場合に比べ、より視認性の高いサーチ再生を実現することができる。
【００６２】
次に、第２の実施形態について説明する。
【００６３】
本実施形態においても記録再生装置の構成は図１及び図２に示したものと同様である。そして、本形態においては、図１の動き検出回路１２１により生成され、画像データとともに記録されたフレーム毎の動き情報を用いてサーチを行う。
【００６４】
以下、本形態におけるサーチ再生動作について、図７のフローチャートを用いて説明する。
【００６５】
図７において、サーチ再生開始の指示があると、前述のように５倍速の高速読み出しを行い、ディスク１１３から通常再生時の５倍の速度でデータを再生する（Ｓ７０１）。そして、ＣＰＵ１２２は誤り訂正回路２０３からの再生データ中から、記録時に付加されたフレーム毎の動き情報を検出し、動きの有無を判別する。本形態では、１ＧＯＰ内に動きありを示す動き情報が付加されたフレームが８フレーム以上あったとき、動きありと判断する（Ｓ７０２）。
【００６６】
動きありと判断すると、前述の実施形態のように、メモリ２０５に記憶されている連続する５フレームの画像データを複数の領域に分割し、各フレームから表示するべき領域を選択し（Ｓ７０３）、バッファ２０７に出力する（Ｓ７０４）。
【００６７】
一方、Ｓ７０２で動きなしと判別した場合、現在のＧＯＰの画像データについては前述のような合成処理により生成したサーチ画像を出力するが、次のＧＯＰについては、先頭のＩピクチャのみを選択してバッファ２０７に出力する（Ｓ７０６）。そして、この先頭のＩピクチャを３フレーム期間連続して出力するようバッファ制御回路２０９を制御する。この処理をサーチ再生停止の指示があるまで繰返す（Ｓ７０５）。
【００６８】
このように、本形態においては、再生画像の動きが少ない場合にはＩピクチャのみを出力する。そのため、図６のように５フレームの画像データの一部を集めて生成した画像よりも高精細な画像を出力することができる。この場合には再生データにおける１ＧＯＰ期間、つまり５倍速サーチ再生で３フレーム期間同じＩピクチャの画像が出力されることになるが、もともと動きの少ない画像が記録されているため、違和感は少ない。
【００６９】
また、動きが大きい場合には前述のように連続する５フレームの画像の一部を集めてサーチ用画像を生成するため、動きの滑らかなサーチ画像を得ることができる。
【００７０】
なお、前述の実施形態では、記録再生可能なデータレート、メモリ容量等を考慮し、サーチ再生時の再生速度を通常再生時の５倍速としたが、記録再生系の能力やメモリの容量を適宜変更することで、これ以外の速度でサーチ再生を行うことも可能である。
【００７１】
例えば、１０倍速再生を行う場合には、通常再生時の１０倍の速度でディスク１１３からデータを再生し、メモリに記憶された連続する１０フレームの画像データをそれぞれ１０個の領域に分割し、図６に示すように、これら連続する１０フレームの再生画像データのそれぞれ一部を集めて１０倍速サーチ用の１フレームの画像データを生成すればよい。
【００７２】
つまり、ｎ倍速再生を行う場合には、連続して再生されたｎ画面の画像データをそれぞれｎ個の領域に分割し、各画面から１つの領域を抽出して１画面を構成することで同様のサーチを実現することができる。
【００７３】
また、前述の実施形態では、画像データをＭＰＥＧ方式で圧縮、符号化し、記録する装置について説明したが、これ以外にも画像データをディスク媒体に対して記録再生する場合に本発明を適用することは極めて有効であり、同様の効果をもつ。
【００７４】
【発明の効果】
以上説明したように、本発明によれば、サーチ再生時においても滑らかな動きを持つ再生画像を得ることができる。
【図面の簡単な説明】
【図１】本発明が適用される記録再生装置の記録系装置の構成を示す図である。
【図２】本発明が適用される記録再生装置の再生系の構成を示す図である。
【図３】図１の装置による符号化処理を説明するための図である。
【図４】図２の装置の復号回路の構成を示す図である。
【図５】本発明の実施形態によるサーチ再生時の動作を説明するための図である。
【図６】本発明の実施形態によるサーチ再生時の再生画像の様子を示す図である。
【図７】本発明の実施形態による他のサーチ再生動作を説明するためのフローチャートである。
【図１】
0004323685.tif 000002
【図２】
0004323685.tif 000003
【図３】
0004323685.tif 000004
【図４】
0004323685.tif 000005
【図５】
0004323685.tif 000006
【図６】
0004323685.tif 000007
【図７】
0004323685.tif 000008